(57)【要約】【課題】  本発明は、音源の切換及びゲイン調整を容易に行うことができる音声信号処理装置を提供することを目的とする。【解決手段】  複数の音源からの音声信号を取り込む複数の入力部８８と、入力部８８のいずれかを選択する入力選択回路９０と、入力部８８それぞれからの音声信号を増幅する第１増幅回路９２と、第１増幅回路９２のゲインを調整する少なくとも１のゲイン調整回路９４と、入力選択回路９０及びゲイン調整回路９４に接続され、動作点が連続的に変化する調整部５０とを備え、調整部５０の動作点の位置に応じ、入力選択回路９０はいずれかの入力部８８を選択し、選択された入力部８８の音声信号を増幅する第１増幅回路９２がゲイン調整回路９４を有している場合、ゲイン調整回路９４は選択された入力部８８に対応する第１増幅回路９２のゲインの値を決定する、音声信号処理装置を提供する。【選択図】      図２
2005072880.tif 000002
【特許請求の範囲】
【請求項１】
複数の音源からの音声信号を取り込む複数の入力部と、
前記入力部のいずれかを選択する入力選択回路と、
前記入力部それぞれからの音声信号を増幅する第１増幅回路と、
前記第１増幅回路のゲインを調整する少なくとも１のゲイン調整回路と、
前記入力選択回路及び前記ゲイン調整回路に接続され、動作点が連続的に変化する調整部と、を備え、
前記調整部の動作点の位置に応じ、前記入力選択回路はいずれかの入力部を選択し、
選択された入力部の音声信号を増幅する第１増幅回路がゲイン調整回路を有している場合、前記ゲイン調整回路は、前記調整部の動作点の位置に応じ、前記選択された入力部に対応する第１増幅回路のゲインの値を決定する、音声信号処理装置。
【請求項２】
前記調整部はダイヤル式調整部である、請求項１に記載の音声信号処理装置。
【請求項３】
前記調整部はスライド式調整部である、請求項１に記載の音声信号処理装置。
【請求項４】
前記入力選択回路により入力部を入力部Ａから入力部Ｂに切り換えた場合、入力部Ａ及び入力部Ｂそれぞれに対応する第１増幅回路Ａ及び第１増幅回路Ｂからの出力レベルの差が所定の範囲内となるよう、前記入力部Ｂに対応する第１増幅回路Ｂのゲインを前記ゲイン調整回路が調整する、請求項１に記載の音声信号処理装置。
【請求項５】
前記音源は、ワイヤレスチューナ、有線マイクからなるグループから選ばれる１または複数の組み合わせである、請求項１に記載の音声信号処理装置。
【請求項６】
前記入力選択回路により選択された入力部からの音声信号を増幅する第２増幅回路をさらに含む、請求項１に記載の音声信号処理装置。
【発明の詳細な説明】
【技術分野】
【０００１】
本発明は、音声信号処理装置に関する。
【背景技術】
【０００２】
オーディオミキサでは、有線マイク、ＣＤ（Compact   Disc）やＭＤ（Mini  Disc）及びワイヤレスチューナ等の複数の音源から入力される音声信号を取り込み、取り込んだ音声信号のミキシングを行っている。ここで、ワイヤレスチューナとは、ワイヤレスマイクから送信される電波の受信機を意味する。このとき、ワイヤレスチューナ、有線マイク及びＣＤやＭＤ等からの出力レベル（音量）が異なるため、それぞれの音源から取り込まれた音声信号が入力される増幅器においてゲインを調整する必要がある。特に、有線マイクは、ＣＤやＭＤ及びワイヤレスチューナと比較してその出力レベルが小さいため、ゲインを調整することにより出力レベルをある程度増幅し、ミキシング部への入力レベルを揃えてミキシングを行う。出力レベルを揃えるためには、ワイヤレスチューナ、ＣＤやＭＤ等及び有線マイクの音源を切り換え、切り換えた音源の出力レベルに応じて対応する増幅器のゲインを調整する。
【０００３】
有線マイクとワイヤレスチューナとの入力切換を有する従来のオーディオミキサについて説明する。図９は、従来のオーディオミキサの入出力パネル、図１０は、図９に示すオーディオミキサの操作パネル、図１１は図９に示すオーディオミキサの内部回路のブロック図である。図９に示すオーディオミキサの入出力パネル１は、通常オーディオミキサの背面に位置し、例えば有線マイク入力部３、ＣＤやＭＤとの接続を行うためのＡＵＸ入力部５、電源スイッチ７及びスピーカ出力部９を有している。有線マイク入力部３は、さらに、ワイヤレスチューナと有線マイクとの切換が可能な切換部３ａ及び３ｂを有している。また、図１０に示す操作パネル１０は、通常オーディオミキサの上面に位置するように使用される。操作パネル１０には、音声信号が入力される増幅器におけるゲインを調整するトリム調整部１２等が取り付けられている。このオーディオミキサでは、ワイヤレスチューナから音声が入力される場合は、切換部３ａまたは３ｂから有線マイクのプラグを抜き取って開放状態とし、ワイヤレスチューナからの入力を有効にする。
【０００４】
一方、切換部３ａまたは３ｂにおいて有線マイクを使用する場合は、切換部３ａまたは３ｂに有線マイクのプラグを挿入し、有線マイクからの入力を有効にする。このとき、有線マイクの出力レベルに応じて、操作パネル１０のトリム調整部１２によりゲインを調整する。このトリム調整部１２により、有線マイクから音声信号が入力される増幅器のゲインを調整し、有線マイクとワイヤレスチューナやＡＵＸからの音声信号が入力される増幅器の出力レベルをある程度一定レベルに揃えミキシングを容易にする。
【発明の開示】
【発明が解決しようとする課題】
【０００５】
しかし、上記のようなワイヤレスチューナを有するオーディオミキサにおいては、切換部３ａ及び３ｂが開放状態にあるか否か、つまり有線マイクが切換部３ａ及び３ｂに接続されているか否かに基いて、ワイヤレスチューナによる音声入力と有線マイクによる音声入力とを切り換える。そのため、ワイヤレスチューナにより音声入力を行う際に、有線マイクが入出力パネル１の切換部３ａ及び３ｂに接続されている場合には、切換部３ａ及び３ｂを開放状態にしなければならず操作性が悪い。さらに、切換部３ａ及び３ｂにおける有線マイクの抜き差しに加え、出力レベルを揃えるために、有線マイクの出力レベルに応じてトリム調整部１２によりゲインを調整する必要がある。つまり、切換部３ａ及び３ｂによる入力切換を行う段階とゲインを調整する段階との２段階により入力音源を切り換える。そのため、例えば次のような問題が生じ得る。切換部３ａ及び３ｂが開放状態にあるにもかかわらず、使用者が切換部３ａ及び３ｂに有線マイクが接続されている状態であると誤認したとする。使用者は有線マイクのゲインを調整するためにトリム調整部１２を調整するが、有線マイクが接続されていないため、いくらゲインを上げても音声は出力されない。そのため、使用者は操作間違いや接続不良、機器の故障などを想定して確認し直さなければならない。特に、切換部３ａ及び３ｂとトリム調整部１２とが異なるパネル面であり、切換部３ａ及び３ｂが裏面のパネルに設けられている場合には、有線マイクの接続の有無を確認し難くより操作性が悪い。
【０００６】
そこで、本発明は、音源の切換及びゲイン調整を容易に行うことができる音声信号処理装置を提供することを目的とする。
【課題を解決するための手段】
【０００７】
上記課題を解決するために、本願第１発明は、複数の音源からの音声信号を取り込む複数の入力部と、前記入力部のいずれかを選択する入力選択回路と、前記入力部それぞれからの音声信号を増幅する第１増幅回路と、前記第１増幅回路のゲインを調整する少なくとも１のゲイン調整回路と、前記入力選択回路及び前記ゲイン調整回路に接続され、動作点が連続的に変化する調整部とを備え、前記調整部の動作点の位置に応じ、前記入力選択回路はいずれかの入力部を選択し、選択された入力部の音声信号を増幅する第１増幅回路がゲイン調整回路を有している場合、前記ゲイン調整回路は前記選択された入力部に対応する第１増幅回路のゲインの値を決定する、音声信号処理装置を提供する。
【０００８】
上記の音声信号処理装置においては、調整部の動作点を所定の範囲で移動させ、その動作点の位置に応じて音源からの音声信号が入力される入力部の切換を行う。さらに、切り換えられた入力部に対応する第１増幅回路にゲイン調整回路が設けられている場合は、調整部の動作点に応じてゲインを調整する。ゲイン調整回路は、複数の入力部の少なくとも１つに設けられていれていれば良く、全ての入力部に設けられている必要はない。上述の音声信号処理装置においては、１つの調整部の動作点に応じて入力部の切換とゲイン調整とを行うので、音調整を容易に行うことができる。例えば、使用している音源の出力レベルに応じて第１増幅回路のゲイン調整回路のゲインを調整する場合には、ゲイン調整に伴って入力切換が行われるので、入力切換を完全に行うことができる。よって、入力部の切換を行ったと誤認したままゲイン調整を行うことがなくなるため、ゲイン調整を常に有効に行うことができる。ゲイン調整は、全ての音源に行われる必要はなく、少なくとも１の音源に対して行われれば良い。ここで、音声信号処理装置には、前記入力選択回路により選択された入力部からの音声信号を増幅する第２増幅回路が設けられていても良い。
【０００９】
本願第２発明は、本願第１発明において、前記調整部はダイヤル式調整部である音声信号処理装置を提供する。
ダイヤル式調整部を所定の範囲で回転させることで、その調整部の動作点の位置に応じて音源の切換と増幅器のゲイン調整とを行うことができる。
本願第３発明は、本願第１発明において、前記調整部はスライド式調整部である音声信号処理装置を提供する。
【００１０】
スライド式調整部を所定の範囲でスライドさせることで、その調整部の動作点の位置に応じて音源の切換と増幅器のゲイン調整とを行うことができる。
本願第４発明は、本願第１発明において、前記入力選択回路により入力部を入力部Ａから入力部Ｂに切り換えた場合、入力部Ａ及び入力部Ｂそれぞれに対応する第１増幅回路Ａ及び第１増幅回路Ｂからの出力レベルの差が所定の範囲内となるよう、前記入力部Ｂに対応する第１増幅回路Ｂのゲインを前記ゲイン調整回路が調整する音声信号処理装置を提供する。
【００１１】
ゲイン調整回路によりゲインを調整することで、入力部の切換前後における音源の出力レベルの差を低減することができる。
本願第５発明は、本願第１発明において、前記音源は、ワイヤレスチューナ、有線マイクからなるグループから選ばれる１または複数の組み合わせである音声信号処理装置を提供する。
【００１２】
ワイヤレスチューナと有線マイクとはその出力レベルの差が大きく、入力部の切換を行ったときはゲイン調整を行って出力レベルを揃えることが好ましい。よって、これらの音源が入力される入力部の切換とゲイン調整とを１つの調整部で行うことで、音源の切り換えと、入力部から入力され、音声信号処理装置から出力される音声信号の出力レベルの調整とを容易に行うことができる。
【発明の効果】
【００１３】
本発明を用いれば、音源の切換及びゲイン調整を容易に行うことができる音声信号処理装置を提供することができる。
【発明を実施するための最良の形態】
【００１４】
＜第１実施形態例＞
図１は第１実施形態例に係る音調整部、図２は音調整部により調整されるプリアンプである。図１に示す音調整部５０は、音源であるワイヤレスチューナ９６と有線マイクとを切り換えるための切換点６０、有線マイクのゲインを調整するためのゲイン調整点（７０ａ、７０ｂ、７０ｃ、７０ｄ、７０ｅ）７０、つまみ部８０及び調整後のゲイン表示８２を有している。図２に示すプリアンプ８５は、有線マイク等の音源から入力される音声信号を取り込む入力部８８ａ、ワイヤレスマイク等から送信される送信波を受信する入力部８８ｂ、音源の入力切換を行う入力選択回路９０、有線マイクからの音声信号を増幅する第１増幅回路９２、第１増幅回路９２のゲインを調整するゲイン調整回路９４、ワイヤレスマイクからの送信波を受信・復調するワイヤレスチューナ９６を有している。また、入力選択回路９０から出力される音声信号をさらに増幅する第２増幅回路９８を有する構成であっても良い。ゲイン調整回路９４は、図２に示すように例えば可変抵抗から構成される。このプリアンプ８５の入力選択回路９０は音調整部５０の切換点６０に接続され、ゲイン調整回路９４はゲイン調整点７０に接続されている。上記の音調整部５０及びプリアンプ８５により以下のように音調整が行われる。
【００１５】
この音調整部５０のつまみ部８０を切換点６０に設定すると、ワイヤレスチューナ９６から音声入力を受け付けるために入力選択回路９０がワイヤレスチューナ９６側に接続される。一方、つまみ部８０を切換点６０からゲイン調整点７０に移動させると、有線マイクからの入力を受け付けるために入力選択回路９０が有線マイク側に接続される。さらに、つまみ部８０をゲイン調整点７０ａ〜７０ｅの位置に移動させることで、有線マイクにより入力された音声信号を増幅する第１増幅回路９２におけるゲインがゲイン調整回路９４により調整される。このとき、ワイヤレスチューナ９６からの出力レベルは、有線マイクの出力レベルよりも大きいため、切換点６０では第１増幅回路９２のゲインが一番小さく、ゲイン調整部７０ａ〜ｅの順に第１増幅回路９２のゲインが大きくなるように設定されている。第１増幅回路９２の最大ゲインを基準値（０ｄＢ）とすれば、それぞれの調整点のゲインは、例えば、切換点６０では−５０ｄＢ、ゲイン調整点７０ａ〜７０ｅでは順に−４０ｄＢ、−３０ｄＢ、−２０ｄＢ、−１０ｄＢ、０ｄＢと表示される。この音調整部５０には、調整後のゲインを表示するためゲイン表示８２が設けられていると調整が容易で好ましい。例えば、つまみ部８０を左に回すほど第１増幅回路９２のゲインが小さくなるため、それに応じた表示を図１に示すように表示する。このような表示を設けると、トリムの調整方法を熟知していなくても容易に音調整を行うことができる。
【００１６】
上記のように、第１実施形態例のプリアンプ８５においては、音調整部５０のつまみ部８０を切換点６０及びゲイン調整点７０の範囲で連続的に移動させる。そして、つまみ部８０の動作点に応じてワイヤレスチューナ９６と有線マイクとの入力部８８ａ、８８ｂ（８８）の切換を行い、さらに有線マイクのゲイン調整を行う。１つの音調整部５０の動作点に応じて入力部８８の切換とゲイン調整とを行うので、音調整を容易に行うことができる。ここで、有線マイクの出力レベルに応じて第１増幅回路９２におけるゲインを調整する場合には、ゲイン調整に伴って入力切換が行われるので、入力切換を完全に行うことができる。つまり、有線マイクのゲインを調整する場合は、つまみ部８０をゲイン調整点７０ａ〜７０ｅの位置に移動するため、ワイヤレスチューナ９６と有線マイクとの切換点６０から必ずつまみ部８０を移動させることになる。そのため、音源の入力切換を行ったと誤認したまま有線マイクのゲインを調整することがなくなり、有線マイクに切り換えた場合のゲイン調整を常に有効に行うことができる。
【００１７】
ここで、ゲイン調整回路９４は、複数の入力部８８に対応して少なくとも１つに設けられていれば良く、全ての入力部８８に対応して設けられている必要はない。つまり、図２に示すように、有線マイクに対応する入力部８８ａにのみ第１増幅回路９２が設けられており、ワイヤレスチューナ９６に対応する入力部８８ｂには第１増幅回路９２は設けられていない構成であっても良い。このとき、音調整部５０の動作点の位置に応じて入力部８８の切換を行い、さらに、切り換えられた入力部８８に対応する第１増幅回路９２にゲイン調整回路９４が設けられている場合は、音調整部５０の動作点に応じてゲインを調整する。
【００１８】
また、音調整部５０の動作点に応じて入力部を入力部８８ａから入力部８８ｂに切り換えた場合、入力部８８に対応する第１増幅回路９２からの出力レベルとワイヤレスチューナ９６に内蔵されている増幅回路からの出力レベルとの差が所定の範囲内となるよう、第１増幅回路９２のゲイン調整回路９４のゲインが調整されていると好ましい。例えば第１増幅回路９２のゲイン調整回路９４の抵抗値を、入力選択回路９０により音源が切り換えられた場合、切換前と切換後との音源の出力レベルの差を低減するように設定する。
【００１９】
上記の第１実施形態例の音調整部５０は、つまみ部８０を回転させるダイヤル式調整部であるが、音源の切換とゲインの調整とを１つの調整部で動作可能であれば良く、調整部の形は限定されない。例えば、図３に示すようにつまみ部８０が上下にスライドし、入力切換とゲイン調整とを並行して行うことができるスライド式調整部であっても良い。
＜第２実施形態例＞
図４は、本発明の第２実施形態例に係るオーディオミキサのフロントパネル、図５は、図４のフロントパネルに設けられた音調整部の拡大図である。
【００２０】
図４のフロントパネル１００には、複数の音源からの音声信号を調整するための音調整ユニット（１０５ａ、１０５ｂ、１０５ｃ、１０５ｄ、１０５ｅ、１０５ｆ…）１０５が設けられている。その他、エコー調整つまみや左右のスピーカからの音量を調整するつまみ等が設けられている。音調整ユニット１０５ａ及び１０５ｂは第１音調整部（１１０ａ、１１０ｂ）１１０を有しており、音調整ユニット１０５ｃ〜１０５ｆは第２音調整部（１２０ａ、１２０ｂ、１２０ｃ、１２０ｄ）１２０を有している。第１音調整部１１０により、音源であるワイヤレスチューナ２３０、ＭＤやＣＤ及び有線マイクからの入力を切り換え、さらにゲインを調整できる。また、第２音調整部１２０によりＭＤやＣＤと有線マイクとの入力を切り換え、さらにゲインを調整できる。
【００２１】
図５（ａ）は第１音調整部の拡大図、図５（ｂ）は第２音調整部の拡大図、図６は第１音調整部及び第２音調整部により調整されるプリアンプである。図５（ａ）に示す第１音調整部１１０は、第１切換点１３０、第２切換点１４０、第１ゲイン調整点１５０、第２ゲイン調整点１６０及びつまみ部８０を有している。第１切換点１３０は、ワイヤレスチューナ２３０（図中Ｗ）からの入力とＡＵＸ（AUXiliary）入力部（図中ＡＵＸ）からの入力との入力切換を行う。ここで、ＡＵＸ入力部とは、予備的に設けられた入力部であり、例えば有線マイクやワイヤレスチューナ２３０以外のＣＤやＭＤ等を接続可能な入力部である。また、第２切換点１４０は、ＡＵＸ入力部からの入力と有線マイクからの入力との入力切換を行う。また、第１ゲイン調整点１５０は、ＡＵＸ入力部から入力された音声信号を増幅する後述の第１増幅回路２１０ａにおけるゲインを調整する。第２ゲイン調整点１６０は、有線マイクから入力された音声信号を増幅する後述の第１増幅回路２１０ｂにおけるゲインを調整する。
【００２２】
図６に示すプリアンプ１９０ａ、１９０ｂ、１９０ｃ、１９０ｄ…は、それぞれ音調整ユニット１０５ａ、１０５ｂ、１０５ｃ、１０５ｄ…に対応して設けられている。プリアンプ１９０ａ及び１９０ｂは、有線マイクやＡＵＸから入力される音声信号を取り込む入力部１９７ａ、１９７ｂ、ワイヤレスマイクから送信される送信波を受信する入力部１９７ｃ、音源の入力切換を行う入力選択回路２００、各種音源からの音声信号を増幅する第１増幅回路（２１０ａ及び２１０ｂ）２１０、第１増幅回路のゲインを調整するゲイン調整回路（２２０ａ及び２２０ｂ）２２０を有している。さらに、ワイヤレスマイクからの音声信号が入力されるワイヤレスチューナ２３０及び第１増幅回路２１０で増幅された音声信号をさらに増幅する第２増幅回路２４０を有する構成であっても良い。このプリアンプ１９０ａまたは１９０ｂの入力選択回路２００は、第１音調整部１１０の第１切換点１３０及び第２切換点１４０に接続される。また、プリアンプ１９０ａまたは１９０ｂのゲイン調整回路２２０ａ及び２２０ｂがそれぞれ第１音調整部１１０ａの第１ゲイン調整点１５０及び第２ゲイン調整点１６０に接続されている。つまり、第１増幅回路２１０ａはＡＵＸから入力部１９７ａにより受け付けた音声信号を増幅し、ゲイン調整回路２２０ａは第１増幅回路２１０ａのゲインを調整する。また、第１増幅回路２１０ｂは有線マイクから入力部１９７ｂにより受け付けた音声信号を増幅し、ゲイン調整回路２２０ｂは第１増幅回路２１０ｂのゲインを調整する。この第１音調整部１１０及びプリアンプ１９０ａまたは１９０ｂにより下記（１）〜（３）のように音調整が行われる。
（１）第１音調整部１１０のつまみ部８０を第１切換点１３０（図中Ｗ）に設定すると、ワイヤレスチューナ２３０から入力部１９７ｃにより音声入力を受け付けるために入力選択回路２００がワイヤレスチューナ２３０側に接続される。
（２）つまみ部８０を第１切換点１３０から第１ゲイン調整点１５０に移動させると、ＡＵＸから入力部１９７ａにより音声入力を受け付けるために入力選択回路２００がＡＵＸ側に接続される。さらに、つまみ部８０を第１ゲイン調整点１５０において移動させることで、入力部１９７ａにより受け付けた音声信号を増幅する第１増幅回路２１０ａにおけるゲインがゲイン調整回路２２０ａにより調整される。
（３）つまみ部８０を第１ゲイン調整点１５０から第２切換点１４０に設定すると、有線マイクから入力部１９７ｂにより音声入力を受け付けるために入力選択回路２００が有線マイク側に接続される。さらに、つまみ部８０を第２ゲイン調整点１６０において移動させることで、入力部１９７ｂにより受け付けた音声信号を増幅する第１増幅回路２１０ｂにおけるゲインがゲイン調整回路２２０ｂにより調整される。
【００２３】
有線マイク、ＡＵＸ入力部に接続されるＣＤやＭＤ等の音源及びワイヤレスチューナ２３０の各出力レベルは、通常下記式（１）の順に大きくなる。
有線マイク＜ＡＵＸ入力部に接続される音源≦ワイヤレスチューナ  …（１）
よって、第１ゲイン調整点１５０によるゲインは、第２ゲイン調整点１６０によるゲインと比較して低く設定し、それぞれ異なる音源の出力レベルの差を抑える。また、図５（ａ）において、音源がワイヤレスチューナ２３０に切り換えられた場合は、第１増幅回路２１０を通過しないように設定する。
【００２４】
図５（ｂ）に示す第２音調整部１２０は、第１音調整部１１０と比較してワイヤレスチューナ２３０の切換機能が無い。図６に示す第２音調整部１２０に対応するプリアンプ１９０ｃ〜１９０ｆにはワイヤレスチューナ２３０や入力選択回路２００のワイヤレスチューナ２３０への切換が設けられていない。その他の構成は、第１音調整部１１０と同様である。
【００２５】
第２実施形態例に係るオーディオミキサ１９５では、各音調整ユニット１０５で受け付けた音声信号の音調整を、対応するプリアンプ１９０ａ〜１９０ｆにより上記のように行う。そして、各プリアンプ１９０ａ〜１９０ｆから出力された出力信号をミキシング器２５０に入力し、複数の音源から入力された音声信号のミキシングを行う。
上記のように、第２実施形態例のオーディオミキサにおいては、第１または第２音調整部１１０及び１２０のつまみ部８０を第１切換点１３０、１４０及び第１ゲイン調整点１５０、１６０の範囲で移動させる。そして、つまみ部８０の動作点に応じて各種音源の入力切換と各種音源のゲイン調整とを並行して行う。よって、音源からの音声信号を取り込む入力部の切換及びゲインの調整を１つの音調整部で行うことで、音調整を容易に行うことができる。また、ゲインの調整に伴って入力切換が行われるので、入力切換を完全に行うことができる。つまり、使用している音源に応じて入力切換を行ったと誤認したままゲインを調整することがなくなるので、ゲイン調整を常に有効に行うことができる。
【００２６】
上記第２実施形態例の第１音調整部１１０では、ＡＵＸと有線マイクとに切り換えた場合の両方においてゲインの調整を行っているが、音源からの音声信号を増幅する増幅器の少なくとも１つにおいてゲイン調整を行う構成であっても良い。
また、ワイヤレスチューナ２３０との切換が可能な第１音調整部１１０は、図７に示すように、さらにワイヤレスチューナ２３０のゲインを調整できるように第３ゲイン調整部２６０を有していると、出力レベルの調整の自由度が高まり好ましい。
【００２７】
また、音調整部５０に図８に示すように図柄を表示すると、使用者がオーディオミキサの使用方法を熟知していなくても簡単に入力切換及びゲイン調整することができるので好ましい。使用する機器に応じて、対応する絵柄（ワイヤレスマイク、ＡＵＸ及び有線マイク）につまみ部８０を調整する。また、有線マイクと使用者の口元との遠近によるゲインの調整が容易となるように、例えば使用者が手でマイクを持つ場合（オンマイク／口元に近い）、あるいは使用者がスタンドマイクを用いる場合（オフマイク／口元から遠い）における絵柄を図８に示すように設けると好ましい。
【産業上の利用可能性】
【００２８】
音源の入力切換とゲインの調整とを１つの調整部で調整するため、公民館、体育館などの施設に設置した場合、オーディオミキサ等の音響機器の使用方法を熟知していない利用者でも容易に調整を行うことができる。
【図面の簡単な説明】
【００２９】
【図１】第１実施形態例に係る音調整部。
【図２】音調整部により調整されるプリアンプ。
【図３】スライド式の音調整部。
【図４】本発明の第２実施形態例に係るオーディオミキサのフロントパネル。
【図５】図４のフロントパネルに設けられた音調整部の拡大図。
【図６】第１音調整部により調整されるプリアンプ。
【図７】第３ゲイン調整部を有する音調整部。
【図８】図柄が挿入された音調整部。
【図９】従来のオーディオミキサの入出力パネル。
【図１０】図９に示すオーディオミキサの操作パネル。
【図１１】図９に示すオーディオミキサの内部回路のブロック図。
【符号の説明】
【００３０】
１：入出力パネル    
３：有線マイク入力部    
３ａ、３ｂ：切換部    
５：ＡＵＸ入力部    
７：電源スイッチ    
９：スピーカ出力部    
１０：操作パネル  
１２：トリム調整部  
５０：音調整部  
６０：切換点  
７０：ゲイン調整点  
８０：つまみ部  
８２：ゲイン表示  
８５、１９０：プリアンプ  
８８、１９７：入力部  
９０、２００：入力選択回路  
９２、２１０：第１増幅回路  
９４、２２０：ゲイン調整回路  
９６、２３０：ワイヤレスチューナ  
９８、２４０：第２増幅回路  
１０５：音調整ユニット
１１０：第１音調整部  
１２０：第２音調整部  
１３０：第１切換点  
１４０：第２切換点  
１５０：第１ゲイン調整点  
１６０：第２ゲイン調整点  
２５０：ミキシング器  
２６０：第３ゲイン調整部  
【図１】
2005072880.tif 000003
【図２】
2005072880.tif 000004
【図３】
2005072880.tif 000005
【図４】
2005072880.tif 000006
【図５】
2005072880.tif 000007
【図６】
2005072880.tif 000008
【図７】
2005072880.tif 000009
【図８】
2005072880.tif 000010
【図９】
2005072880.tif 000011
【図１０】
2005072880.tif 000012
【図１１】
2005072880.tif 000013